(57)【特許請求の範囲】
【請求項１】
接合段部で接合される二枚の壁板裏面に当接される裏打ち板部と、該裏打ち板部表面から前記接合段部方向へ延出し、先端に前記接合段部の接合界面に介挿される爪片を有する係合部と、前記裏打ち板部の裏面側に裏打ち板部に対し傾斜角を有して支持部を介し隔離支持された傾斜基板とを備えてなる長尺型材と、前記傾斜基板と等しい傾斜角で傾斜方向が前記裏打ち板部に対し逆方向の台形状断面形状をなす短尺のブロック体であって、前記長尺型材の裏面傾斜板と壁基面との間に介挿可能とされた短尺のブロック体とからなり、裏打ち板部の上端部分は傾斜基板の方向へ段状に折曲された折曲部をなし、折曲部と傾斜基板とブロック体を貫通して止着具を配置する壁板取付け金具。
【請求項２】
請求項１に記載の長尺型材を所定の平面状態となるよう仮支持して配置し、その時の長尺型材の両端部における傾斜基板と壁基面との隙間に短尺のブロック体を充填し壁基面に止着した後、長尺型材の中間部の要所における傾斜基板と壁基面との間に前記と同様に短尺のブロックを挿入してそれぞれの隙間に充填し、裏打ち板部の折曲された上端部分の折曲部と傾斜基板とブロック体を貫通して止着具を配置して前記長尺型材を壁基面に固定し、その後に該長尺型材の爪片を壁板の接合段部に係合させて支持する壁板取付け工法。
【請求項３】
長尺型材の爪片を壁板の接合段部に予め係合させておき、その状態で両端を固定する請求項２に記載の壁板取付け工法。
【発明の詳細な説明】
【０００１】
【発明の属する技術分野】
この発明は、壁板取付け金具に関する。
【０００２】
【従来の技術】
建築物外壁をリフォームする手段として、既設の壁面上に外壁板を固定していく工法が採られる場合がある。
【０００３】
この工法は、既設の壁面を取り壊すことなくそのまま新規壁の基面として利用するので、既設壁面を取り壊し、新たに壁面を新設する工事に比べ手間が簡単化され、また安価に実施できる効果を有する。
【０００４】
しかし、既設壁面、例えばモルタル表面仕上げの壁面は、表面が均一平面でないことが多く、このため壁表面に胴縁を打ち付けて下地不陸を解消しておく必要があるが、不陸が無いように胴縁を取付ける作業が面倒となる問題があった。
【０００５】
【発明が解決しようとする課題】
この発明は、上記問題を解消し、不陸状態である既設壁面の表面に胴縁を設けなくても、壁板取付け金具によって容易に不陸を解消し、施工を簡略化することを課題としてなされたものである。
【０００６】
【課題を解決するための手段】
上記目的を達成するため、請求項１のリフォーム壁板取付け金具は、接合段部で接合される二枚の壁板裏面に当接される裏打ち板部と、該裏打ち板部表面から前記接合段部方向へ延出し、先端に前記接合段部の接合界面に介挿される爪片を有する係合部と、前記裏打ち板部の裏面側に裏打ち板部に対し傾斜角を有して支持部を介し隔離支持された傾斜基板とを備えてなる長尺型材と、前記傾斜基板と等しい傾斜角で傾斜方向が前記裏打ち板部に対し逆方向の台形状断面形状をなす短尺のブロック体であって、前記長尺型材の裏面傾斜板と壁基面との間に介挿可能とされた短尺のブロック体とからなり、裏打ち板部の上端部分は傾斜基板の方向へ段状に折曲された折曲部をなし、折曲部と傾斜基板とブロック体を貫通して止着具を配置するものである。
【０００７】
従って、この壁板取付け金具によれば、表面の係合部の爪片を壁板の接合段部に係合させた状態で壁基面に配置すれば、壁基面と前記傾斜板との間に下地面の不陸に応じた隙間ができ、この隙間に短尺のブロック体を充填すれば、長尺型材の不陸が解消され、壁板の取付け姿勢が一定する。
【０００８】
請求項２は上記壁板取付け金具を用いた壁板取付け工法であって、上記長尺型材を所定の平面状態となるよう仮支持して配置し、その時の長尺型材の両端部における傾斜基板と壁基面との隙間に短尺のブロック体を充填し壁基面に止着した後、長尺型材の中間部の要所における傾斜基板と壁基面との間に前記と同様に短尺のブロックを挿入してそれぞれの隙間に充填し、裏打ち板部の折曲された上端部分の折曲部と傾斜基板とブロック体を貫通して止着具を配置して前記長尺型材を壁基面に固定し、その後に該長尺型材の爪片を壁板の接合段部に係合させて支持するものである。
【０００９】
従ってこの工法によれば、長尺型材がそのまま標準面を出すスケールとして利用でき、壁面や胴縁の不陸があっても長尺型材部分でその修正が可能となる。
請求項３は上記壁板取付け工法の改良であって、上記の長尺型材の爪片を壁板の接合段部に予め係合させておき、その状態で両端を固定するものである。
【００１０】
従って、貼り付けられた壁板に長尺型材を順次固定しながら不陸を解消しつつ壁板取付け工事を進めて行くことができ、施工の迅速化がはかれる。
【００１１】
【実施の形態】
次にこの発明の実施の形態を説明する。
実施の形態
図１は、この発明の実施の形態１である壁板取付け金具の要部斜視図、図２は取付け状態を示す断面図である。
【００１２】
図１において、１は長尺の壁板取付け金具を示し、二枚の壁板２、２の接合部裏面に当接される裏打ち板部１ａと、この裏打ち板部１ａの表面から前記壁板２の接合段部２ａ、２ｂ方向へ延出し、先端に接合段部２ａ、２ｂの接合界面に介挿される爪片１ｂを有する係合部１ｃと、前記裏打ち板部１ａの裏面側に裏打ち板部１ａに対し傾斜角θを有して、支持部１ｄを介し隔離支持された傾斜基板１ｅとを有した長尺型体とされている。図中１ｑは、支持部１ｄを傾斜基板１ｅ側へ延長して成形した脚部を示し、必ずしも必要なものではない。
【００１３】
なお、上記において裏打ち板部１ａの上端部分は傾斜基板１ｅ方向へ段状に折曲され、この折曲部１ｈと傾斜基板１ｅには図２に示すように表裏方向の共通軸線に沿って釘、ビスなどの止着具４の貫通孔１ｆ、１ｆが穿設され、必要に応じ裏打ち板部１ａと傾斜基板１ｅ間にはスペーサ５が介挿され、止着具４を貫通される部分に介挿されるスペーサには図示のように貫通孔が形成される。なお、図中１ｋはこのスペーサ５の支持棚を示し、必要に応じ形成される。
【００１４】
また、上記壁板取付け金具１は、アルミ軽合金製の型材あるいはステンレス板の折曲成形体とされ、上記したスペーサ５の介挿部分の空間を充実体の厚肉部として成形しても良い。
【００１５】
図１において、３は短尺のブロック体を示し、この短尺のブロック体３は前記壁板用取付け金具１の傾斜基板１ｅの傾斜角と等しい傾斜角θで傾斜方向が前記裏打ち板１ａに対し逆方向とされた台形断面形状とされている。
【００１６】
そして、この短尺のブロック体３は、硬質合成樹脂製、木製、あるいはアルミ軽合金製とされている。
また、図示は省略するが、傾斜基板１ｅと短尺ブロック体３の接触面３ａには滑り止めの凹凸面を形成しても良い。
【００１７】
次に、実施の形態の壁板取付け金具１を用いた壁板取付け工法を説明する。
図３は、壁板取付け工法の壁板取付け前の状態を示す断面図、図４は同じく斜視図である。
【００１８】
まず、壁基面６に対し壁板取付け金具１の裏打ち板部１ａが接合しようとする壁板２、２の基準面２ｃに沿い、かつ係合部１ｃが壁板２、２の接合界面に一致するよう配置し、その位置で壁板取付け金具１を仮支持し、壁基面６と壁板取付け金具１の両端部分１ｇ、１ｇにおける傾斜基板１ｅとの間に、短尺のブロック３を挿入し、両者間の隙間を充填し、釘、ビスなどの止着具４を貫通孔１ｆに打ち込んで壁基面６まで打ち込んで固定する。
【００１９】
なお、このとき、壁板取付け金具１の取り付けるべき基準面２ｃと壁基面６との間に不陸があれば、図５に示すように短尺のブロック３の傾斜基板１ｅと壁基面５との間に挿入される深さＹによって基準面高さが調節される。
【００２０】
そして、このようにして壁板取付け金具１の基準面に沿わせた取付けが終われば、図４に点線で示したように壁板取付け金具１に沿った中間の適所に複数個の短尺ブロック体３…を充填し止着具４で止着固定することでさらに固定強度を増す。
【００２１】
なお、中間部分での不陸も前述と同様短尺ブロックの挿入深さＹを変えることで解消する。
このようにして取付けが終了すれば、図１又は図２に示したように係合部１ｃの爪片１ｂに壁板２の接合段部２ａ、２ａを引っ掛けるよう係合して取り付けるのである。
【００２２】
従って、この壁板取付け金具１によれば、下地面に不陸があっても壁板は基準面に沿って取り付けることができ、施工が非常に簡単になるのである。
上記実施の形態として、壁板取付け金具１を壁面上にそのまま取り付ける場合を示したが、図６に示すように新築家屋の胴縁７、７あるいは既設壁面上に一定間隔で取付けた胴縁７…７であって、両端の胴縁７に壁板取付け金具１を基準面に沿うよう取り付けた後、中間部の胴縁７と傾斜基板１ｂとの間に短尺のブロック体３を挿入充填して固定して行っても良い。
【００２３】
また、壁板取付け金具１を壁基面６に取り付けるに際し、図７に示すように既に一端側の接合段部２ｂを壁板取付け金具１で基準面２ｃに沿って支持した壁板２の他端接合段部２ａに係合部１ｃの爪片１ｂを係合させておき、その状態で上述のように壁板取付け金具１を基準面２ｃに沿って固定しても良い。
【００２４】
この場合、壁板２を不陸修正しつつ順次壁板貼り付け工事を進めて行くことができるので施工も迅速に行なえるのである。
【００２５】
【発明の効果】
以上説明したように、請求項１の壁板取付け金具によれば、不陸のある壁下地面に、壁板を取り付ける場合に長尺型材をスケールとして利用することができ、しかも、この長尺型材をブロック体で固定することによって不陸が解消できるので下地材の不陸防止について精度の高い施工も必要なく、簡単に基準面に沿った施工が可能となる。
【００２６】
また、請求項２の工法によれば、壁板取付け金具の長尺型材の両端さえ不陸がないように固定してしまえば、以後は中間のブロック体挿入並びに固定、それに続く壁板取付けには取付け精度を殆ど考慮しなくて良いので施工が非常に簡単となる。
【００２７】
請求項３の工法によれば既設壁板に続いて壁板取付け金具の固定を行なっていくので、既設壁板をも基準面として利用でき、正確な施工が迅速に可能となるなどの効果を有する。
【図面の簡単な説明】
【図１】実施の形態の壁板取付け金具の斜視図である。
【図２】同上壁板取付け金具の断面図である。
【図３】上記壁板取付け金具を用いた壁板取付け工法の壁板取付け前の状態を示す断面図である。
【図４】上記壁板取付け金具を用いた壁板取付け工法の壁板取付け前の状態を示す斜視図である。
【図５】上記壁板取付け金具を用いた壁板取付け工法で不陸解消の状態を示す断面図である。
【図６】上記壁板取付け金具を用いた壁板取付け工法の他の構成例を示す斜視図である。
【図７】上記壁板取付け金具を用いた壁板取付け工法の、さらに他の構成例を示す斜視図である。
【符号の説明】
１      壁板取付け金具
１ａ    裏打ち板部
１ｂ    接合界面に介挿される爪片１ｂ
１ｃ    係合部
１ｄ    支持部
１ｅ    傾斜基板
１ｆ    貫通孔
１ｇ    壁板取付け金具の両端部分
２      壁板
２ａ    接合段部
２ｂ    接合段部
２ｃ    基準面
３      短尺のブロック体
４      釘、ビスなどの止着具
５      スペーサ
６      壁基面
【図１】
0003801409.tif 000002
【図２】
0003801409.tif 000003
【図３】
0003801409.tif 000004
【図４】
0003801409.tif 000005
【図５】
0003801409.tif 000006
【図６】
0003801409.tif 000007
【図７】
0003801409.tif 000008